(57)【要約】【課題】本発明は携帯電話自撮り補光ライトを開示した。【解決手段】携帯電話ケースを含み、前記携帯電話ケースの左端面には装置を前記携帯電話ケースに固定できる吸着機構が設置され、前記吸着機構の上側には補光角度を調整できる調節機構が設置され、前記調節機構は支持ブロックを含み、前記支持ブロックの中には移動チャンバが設置され、前記移動チャンバの下端壁の中には上方に開口した移動溝が設置され、前記移動溝の中には移動板が設置され、前記移動板の上端には上端が前記移動チャンバの中に位置している二つの移動ブロックが設置される。【選択図】図１
2020177210.tif 000002
【特許請求の範囲】
【請求項１】
正面視で、携帯電話ケースを含み、前記携帯電話ケースの左端面には装置を前記携帯電話ケースに固定できる吸着機構が設置され、前記吸着機構の上側には補光角度を調整できる調節機構が設置され、前記調節機構は支持ブロックを含み、前記支持ブロックの中には移動チャンバが設置され、前記移動チャンバの下端壁の中には上方に開口した移動溝が設置され、前記移動溝の中には移動板が設置され、前記移動板の上端には上端が前記移動チャンバの中に位置している二つの移動ブロックが設置され、二つの前記移動ブロックの間には回転軸が回転できるように連結され、前記回転軸には回転ブロックが設置され、前記回転ブロックの上端には上端が外部空間の中に位置している回転ロッドが回転できるように連結され、前記回転ロッドの上端には固定ブロックが固定的に設置され、前記固定ブロックには補光ライトが設置されることを特徴とする携帯電話自撮り補光ライト。
【請求項２】
前記吸着機構は摩擦ブロックを含み、前記摩擦ブロックの右端には吸盤が設置され、前記摩擦ブロックの中には上端壁が外部空間と連通している摩擦溝が設置され、前記摩擦溝の中には上端が外部空間に位置している支持ロッドが設置され、前記支持ロッドの上端と前記支持ブロックとが固定的に連結され、前記支持ロッドの中には左端壁が前記摩擦溝と連通しているばね溝が設置され、前記ばね溝の右端壁には伸縮ばねが設置され、前記伸縮ばねの左端には台形ブロックが設置され、前記摩擦溝の左端壁の中には外部空間と連通している位置制限溝が設置され、前記位置制限溝の中には左端が外部空間の中に位置している位置制限ブロックが設置され、前記台形ブロックの左端が前記位置制限溝の中に位置しており、前記位置制限溝の下端壁には上方に開口したスライド溝が設置され、前記スライド溝の右端壁には圧縮ばねが固定的に設置され、前記圧縮ばねの左端には上端が前記位置制限溝の中に位置しているスライドブロックが固定的に設置され、前記スライドブロックの上端と前記位置制限ブロックとが固定的に連結されることを特徴とする請求項１に記載の携帯電話自撮り補光ライト。
【請求項３】
前記調節機構はまた旋転軸を含み、前記移動ブロックの中には旋転チャンバが設置され、前記旋転チャンバの中には前記回転ブロックと離れている一端が外部空間に位置しており、且つ前記回転ブロックと近接している一端が前記移動チャンバの中に位置している前記旋転軸が設置され、後側の前記旋転チャンバの中に位置している旋転軸には旋転歯車が固定的に設置され、前記旋転歯車の右端には伝動歯車が噛合するように連結され、前記伝動歯車の中心には前後両端がそれぞれ後側の前記旋転チャンバの前後端壁と回転できるように連結される伝動軸が固定的に設置され、前記伝動軸にはまた第一傘歯車が設置され、前記第一傘歯車の左端には第二傘歯車が噛合するように連結され、前記第二傘歯車の中心には左端が後側の前記旋転チャンバの左端壁と回転できるように連結されるプッシュ軸が設置され、前記プッシュ軸にはまたプッシュ歯車が設置され、
前記旋転チャンバのうち前記回転ブロックに近接している端壁の中には前記移動チャンバと連通している挟みチャンバが設置され、前記挟みチャンバの両側端壁の中にはばねチャンバが設置され、前記ばねチャンバの左端壁には連結ばねが設置され、前記連結ばねの右端にはスライド板が固定的に設置され、前記スライド板の一つの端面には一端が前記挟みチャンバの中に位置している連結ロッドが設置され、前記連結ロッドの一端の中には片側端壁と前後端壁とがいずれも前記挟みチャンバと連通している支持溝が設置され、後側の前記旋転チャンバの中には前端が前記挟みチャンバと前記支持溝とを貫通しており、且つ前側の前記旋転チャンバの中に位置している二本の摩擦ロッドが設置され、片側の前記摩擦ロッドの後端と前記プッシュ歯車の上端とが噛合するように連結され、前記回転軸にはまた回転歯車が固定的に連結され、前記回転歯車の右端には従動歯車が噛合するように連結され、前記従動歯車の中心と前側の前記旋転軸の後端とが固定的に連結され、前記回転ロッドが二本の前記摩擦ロッドの間に位置していることを特徴とする請求項１に記載の携帯電話自撮り補光ライト。
【発明の詳細な説明】
【技術分野】
【０００１】
本発明は補光ライト分野を取り上げて、具体的には携帯電話自撮り補光ライトである。
【背景技術】
【０００２】
自撮り補光ライトの主な作用は、光が足りない場合に撮影するとき、補助の光を提供し、よい画面素材を取得し、自撮り補光ライトは既に輝度と、色温度を調節し、残りの電気量を表示することなどのよい制御性能を持ち、しかし今の段階、携帯電話の補光ライトはほとんど写真を撮るときに一回点滅するだけであり、ユーザーにより制御調節されなく、写真を撮ることに有利ではなく、一般的な補光設備は体積が大きく携帯しにくく、また携帯電話の撮影に適用しない。
【先行技術文献】
【特許文献】
【０００３】
【特許文献１】中国特許出願公開第１０７４２６５０４号明細書
【発明の概要】
【発明が解決しようとする課題】
【０００４】
本発明の目的は携帯電話自撮り補光ライトを提供し、それは上記の現在の技術中の問題を解決できる。
【課題を解決するための手段】
【０００５】
上記の課題を解決するため、本発明は以下の技術プランを採用する：本発明の携帯電話自撮り補光ライトは、携帯電話ケースを含み、前記携帯電話ケースの左端面には装置を前記携帯電話ケースに固定できる吸着機構が設置され、前記吸着機構の上側には補光角度を調整できる調節機構が設置され、前記調節機構は支持ブロックを含み、前記支持ブロックの中には移動チャンバが設置され、前記移動チャンバの下端壁の中には上方に開口した移動溝が設置され、前記移動溝の中には移動板が設置され、前記移動板の上端には上端が前記移動チャンバの中に位置している二つの移動ブロックが設置され、二つの前記移動ブロックの間には回転軸が回転できるように連結され、前記回転軸には回転ブロックが設置され、前記回転ブロックの上端には上端が外部空間の中に位置している回転ロッドが回転できるように連結され、前記回転ロッドの上端には固定ブロックが固定的に設置され、前記固定ブロックには補光ライトが設置される。
【０００６】
優選的には、前記吸着機構は摩擦ブロックを含み、前記摩擦ブロックの右端には吸盤が設置され、前記摩擦ブロックの中には上端壁が外部空間と連通している摩擦溝が設置され、前記摩擦溝の中には上端が外部空間に位置している支持ロッドが設置され、前記支持ロッドの上端と前記支持ブロックとが固定的に連結され、前記支持ロッドの中には左端壁が前記摩擦溝と連通しているばね溝が設置され、前記ばね溝の右端壁には伸縮ばねが設置され、前記伸縮ばねの左端には台形ブロックが設置され、前記摩擦溝の左端壁の中には外部空間と連通している位置制限溝が設置され、前記位置制限溝の中には左端が外部空間の中に位置している位置制限ブロックが設置され、前記台形ブロックの左端が前記位置制限溝の中に位置しており、前記位置制限溝の下端壁には上方に開口したスライド溝が設置され、前記スライド溝の右端壁には圧縮ばねが固定的に設置され、前記圧縮ばねの左端には上端が前記位置制限溝の中に位置しているスライドブロックが固定的に設置され、前記スライドブロックの上端と前記位置制限ブロックとが固定的に連結される。
【０００７】
優選的には、前記調節機構はまた旋転軸を含み、前記移動ブロックの中には旋転チャンバが設置され、前記旋転チャンバの中には前記回転ブロックと離れている一端が外部空間に位置しており、且つ前記回転ブロックと近接している一端が前記移動チャンバの中に位置している前記旋転軸が設置され、後側の前記旋転チャンバの中に位置している旋転軸には旋転歯車が固定的に設置され、前記旋転歯車の右端には伝動歯車が噛合するように連結され、前記伝動歯車の中心には前後両端がそれぞれ後側の前記旋転チャンバの前後端壁と回転できるように連結される伝動軸が固定的に設置され、前記伝動軸にはまた第一傘歯車が設置され、前記第一傘歯車の左端には第二傘歯車が噛合するように連結され、前記第二傘歯車の中心には左端が後側の前記旋転チャンバの左端壁と回転できるように連結されるプッシュ軸が設置され、前記プッシュ軸にはまたプッシュ歯車が設置される。
【０００８】
前記旋転チャンバのうち前記回転ブロックに近接している端壁の中には前記移動チャンバと連通している挟みチャンバが設置され、前記挟みチャンバの両側端壁の中にはばねチャンバが設置され、前記ばねチャンバの左端壁には連結ばねが設置され、前記連結ばねの右端にはスライド板が固定的に設置され、前記スライド板の一つの端面には一端が前記挟みチャンバの中に位置している連結ロッドが設置され、前記連結ロッドの一端の中には片側端壁と前後端壁とがいずれも前記挟みチャンバと連通している支持溝が設置され、後側の前記旋転チャンバの中には前端が前記挟みチャンバと前記支持溝とを貫通しており、且つ前側の前記旋転チャンバの中に位置している二本の摩擦ロッドが設置され、片側の前記摩擦ロッドの後端と前記プッシュ歯車の上端とが噛合するように連結され、前記回転軸にはまた回転歯車が固定的に連結され、前記回転歯車の右端には従動歯車が噛合するように連結され、前記従動歯車の中心と前側の前記旋転軸の後端とが固定的に連結され、前記回転ロッドが二本の前記摩擦ロッドの間に位置している。
【発明の効果】
【０００９】
本発明の有益的な効果は：本装置は構造が簡単で、操作が便利であり、小さくて便利で、取り外されて置くことができ、組み合わせも簡単であり、保存と使用が便利であり、また、前記旋転軸を運動させることにより補光ライトの多角度調節を実現でき、使用者の各種のニーズを満たし、それにより装置の適用範囲を広げ、携帯電話が横置きしても縦置きしても本装置に影響を与えなく、支持ロッドと摩擦溝との間の協働により、装置の安定性を高める。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の携帯電話自撮り補光ライトの全体全断面の正面構造概略図
【図２】図２は本発明の携帯電話自撮り補光ライトの調節機構の全断面の上面拡大構造概略図
【図３】図３は本発明の携帯電話自撮り補光ライトの調節機構の局部断面の正面拡大構造概略図
【図４】図４は本発明の携帯電話自撮り補光ライトの補光ライトの左視拡大概略図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１〜４を参照し、本発明の携帯電話自撮り補光ライトは、携帯電話ケース１を含み、前記携帯電話ケース１の左端面には装置を前記携帯電話ケース１に固定できる吸着機構４４が設置され、前記吸着機構４４の上側には補光角度を調整できる調節機構４３が設置され、前記調節機構４３は支持ブロック２３を含み、前記支持ブロック２３の中には移動チャンバ３が設置され、前記移動チャンバ３の下端壁の中には上方に開口した移動溝１８が設置され、前記移動溝１８の中には移動板２８が設置され、前記移動板２８の上端には上端が前記移動チャンバ３の中に位置している二つの移動ブロック２が設置され、二つの前記移動ブロック２の間には回転軸１９が回転できるように連結され、前記回転軸１９には回転ブロック２０が設置され、前記回転ブロック２０の上端には上端が外部空間の中に位置している回転ロッド２５が回転できるように連結され、前記回転ロッド２５の上端には固定ブロック２６が固定的に設置され、前記固定ブロック２６には補光ライト２７が設置される。
【００１４】
有益的には、前記吸着機構４４は摩擦ブロック１２を含み、前記摩擦ブロック１２の右端には吸盤８が設置され、前記摩擦ブロック１２の中には上端壁が外部空間と連通している摩擦溝１１が設置され、前記摩擦溝１１の中には上端が外部空間に位置している支持ロッド４５が設置され、前記支持ロッド４５の上端と前記支持ブロック２３とが固定的に連結され、前記支持ロッド４５の中には左端壁が前記摩擦溝１１と連通しているばね溝１０が設置され、前記ばね溝１０の右端壁には伸縮ばね９が設置され、前記伸縮ばね９の左端には台形ブロック７が設置され、前記摩擦溝１１の左端壁の中には外部空間と連通している位置制限溝１７が設置され、前記位置制限溝１７の中には左端が外部空間の中に位置している位置制限ブロック１６が設置され、前記台形ブロック７の左端が前記位置制限溝１７の中に位置しており、前記位置制限溝１７の下端壁には上方に開口したスライド溝１５が設置され、前記スライド溝１５の右端壁には圧縮ばね１３が固定的に設置され、前記圧縮ばね１３の左端には上端が前記位置制限溝１７の中に位置しているスライドブロック１４が固定的に設置され、前記スライドブロック１４の上端と前記位置制限ブロック１６とが固定的に連結される。
【００１５】
有益的には、前記調節機構４３はまた旋転軸５を含み、前記移動ブロック２の中には旋転チャンバ３３が設置され、前記旋転チャンバ３３の中には前記回転ブロック２０と離れている一端が外部空間に位置しており、且つ前記回転ブロック２０と近接している一端が前記移動チャンバ３の中に位置している前記旋転軸５が設置され、後側の前記旋転チャンバ３３の中に位置している旋転軸５には旋転歯車３９が固定的に設置され、前記旋転歯車３９の右端には伝動歯車３８が噛合するように連結され、前記伝動歯車３８の中心には前後両端がそれぞれ後側の前記旋転チャンバ３３の前後端壁と回転できるように連結される伝動軸３６が固定的に設置され、前記伝動軸３６にはまた第一傘歯車３７が設置され、前記第一傘歯車３７の左端には第二傘歯車３５が噛合するように連結され、前記第二傘歯車３５の中心には左端が後側の前記旋転チャンバ３３の左端壁と回転できるように連結されるプッシュ軸３１が設置され、前記プッシュ軸３１にはまたプッシュ歯車３４が設置される。
【００１６】
前記旋転チャンバ３３のうち前記回転ブロック２０に近接している端壁の中には前記移動チャンバ３と連通している挟みチャンバ２４が設置され、前記挟みチャンバ２４の両側端壁の中にはばねチャンバ４２が設置され、前記ばねチャンバ４２の左端壁には連結ばね２９が設置され、前記連結ばね２９の右端にはスライド板３０が固定的に設置され、前記スライド板３０の一つの端面には一端が前記挟みチャンバ２４の中に位置している連結ロッド２２が設置され、前記連結ロッド２２の一端の中には片側端壁と前後端壁とがいずれも前記挟みチャンバ２４と連通している支持溝２１が設置され、後側の前記旋転チャンバ３３の中には前端が前記挟みチャンバ２４と前記支持溝２１とを貫通しており、且つ前側の前記旋転チャンバ３３の中に位置している二本の摩擦ロッド４が設置され、片側の前記摩擦ロッド４の後端と前記プッシュ歯車３４の上端とが噛合するように連結され、前記回転軸１９にはまた回転歯車４０が固定的に連結され、前記回転歯車４０の右端には従動歯車４１が噛合するように連結され、前記従動歯車４１の中心と前側の前記旋転軸５の後端とが固定的に連結され、前記回転ロッド２５が二本の前記摩擦ロッド４の間に位置している。
【００１７】
下記に、図１〜４と上記記述した本出願の携帯電話自撮り補光ライトの具体的な構成を参考し、本出願の携帯電話自撮り補光ライトの使用方法を詳しく紹介する：
【００１８】
本発明装置を使用するとき、前記摩擦ブロック１２を前記吸盤８により前記携帯電話ケース１に相対的に固定し、また前記支持ロッド４５の下端を前記摩擦溝１１の中に挿入し、それにより前記台形ブロック７の一端を前記位置制限溝１７の中に入らせ、前記支持ロッド４５と前記摩擦溝１１とを摩擦するように連結させ、前記支持ロッド４５の下端を取り出すとき、前記位置制限ブロック１６を押し、前記台形ブロック７を連動させて前記ばね溝１０に戻らせ、それにより前記支持ロッド４５の下端を取り出す。
【００１９】
後側の前記旋転軸５を回転させ、それにより前記旋転歯車３９を回転連動させ、それにより前記伝動歯車３８と、前記伝動軸３６と、前記第一傘歯車３７と、前記第二傘歯車３５と、前記プッシュ軸３１及び前記プッシュ歯車３４を回転連動させ、それにより片側の前記摩擦ロッド４を前後に運動連動させ、それにより前記回転ロッド２５と、前記固定ブロック２６及び前記補光ライト２７を回転連動させ、それにより前記補光ライト２７の角度を調節し、前側の前記旋転軸５を回転させ、それにより前記従動歯車４１を回転連動させ、それにより前記回転歯車４０を回転連動させ、それにより前記回転軸１９を回転連動させ、それにより前記回転ブロック２０と、前記回転ロッド２５と、前記固定ブロック２６及び前記補光ライト２７を回転連動させ、それにより前記補光ライトをニーズによって両側に揺動させ、二つの前記旋転軸５を移動することにより、前記移動ブロック２を連動させて前記移動チャンバ３の中で運動させ、それにより前記補光ライト２７と携帯電話との間の距離を変更する。
【００２０】
本発明の有益的な効果は：本装置は構造が簡単で、操作が便利であり、小さくて便利で、取り外されて置くことができ、組み合わせも簡単であり、保存と使用が便利であり、また、前記旋転軸を運動させることにより補光ライトの多角度調節を実現でき、使用者の各種のニーズを満たし、それにより装置の適用範囲を広げ、携帯電話が横置きしても縦置きしても本装置に影響を与えなく、支持ロッドと摩擦溝との間の協働により、装置の安定性を高める。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020177210.tif 000003
【図２】
2020177210.tif 000004
【図３】
2020177210.tif 000005
【図４】
2020177210.tif 000006